(57)【要約】【課題】  代金決済機能を有するＳＩＭカードを内蔵した携帯端末機に盗用防止技術を適用した携帯端末機のＳＩＭカード制御装置及びその方法を提供する。【解決手段】  代金決済機能を有するＳＩＭカード１００と、前記ＳＩＭカード１００の４番及び８番の端子にループ構造で連結されたＲＦアンテナ２００と、端末機の初期化過程でネットワークから受信されるデータ及び前記ＳＩＭカード１００の情報を読み、それによって制御信号を出力する端末機制御部３００と、前記端末機制御部３００の制御信号によって前記ＲＦアンテナ２００を開放又は短絡するＲＦアンテナスイッチ４００と、を含んで携帯端末機のＳＩＭカード制御装置を構成する。【選択図】  図１
2005135421.tif 000002
【特許請求の範囲】
【請求項１】
代金決済機能を有する加入者認証モジュール（ｓｕｂｓｃｒｉｂｅｒ  ｉｄｅｎｔｉｆｉｃａｔｉｏｎ  ｍｏｄｕｌｅ：以下、ＳＩＭと略称する）カードと、
前記ＳＩＭカードの４番及び８番の端子にループ構造で連結されたＲＦ（ｒａｄｉｏ  ｆｒｅｑｕｅｎｃｙ）アンテナと、
端末機の初期化過程でネットワークから受信されるデータ及び前記ＳＩＭカードの情報を読み、それによって制御信号を出力する端末機制御部と、
前記端末機制御部の制御信号によって前記ＲＦアンテナを開放又は短絡するＲＦアンテナスイッチと、
を含んで構成されたことを特徴とする携帯端末機のＳＩＭカード制御装置。
【請求項２】
前記代金決済機能は、
後払い型交通カード機能であることを特徴とする請求項１記載の携帯端末機のＳＩＭカード制御装置。
【請求項３】
前記ネットワークは、
基地局と交通手段運営機関及び金融機関側のシステムとを連係したことを特徴とする請求項１記載の携帯端末機のＳＩＭカード制御装置。
【請求項４】
前記制御信号は、
前記ネットワークから受信されるデータと前記ＳＩＭカードの情報とを比較した結果によって、ＲＦアンテナスイッチをオン／オフにすることを特徴とする請求項１記載の携帯端末機のＳＩＭカード制御装置。
【請求項５】
前記ＲＦアンテナスイッチは、
前記ネットワークのデータと前記ＳＩＭカードの情報とが一致するとき、オンになることを特徴とする請求項４記載の携帯端末機のＳＩＭカード制御装置。
【請求項６】
前記ＲＦアンテナスイッチは、
前記ネットワークのデータと前記ＳＩＭカードの情報とが一致しないとき、オフになることを特徴とする請求項４記載の携帯端末機のＳＩＭカード制御装置。
【請求項７】
前記ネットワークのデータ及びＳＩＭカードの情報は、
加入者情報及び交通カード情報であることを特徴とする請求項４記載の携帯端末機のＳＩＭカード制御装置。
【請求項８】
前記加入者情報は、
加入者の名前、加入者の識別番号及び加入日付であることを特徴とする請求項７記載の携帯端末機のＳＩＭカード制御装置。
【請求項９】
前記交通カード情報は、
交通カードの固有番号であることを特徴とする請求項７記載の携帯端末機のＳＩＭカード制御装置。
【請求項１０】
前記ＲＦアンテナは、
ＲＦアンテナスイッチがオンになったときに開放されることを特徴とする請求項１記載の携帯端末機のＳＩＭカード制御装置。
【請求項１１】
前記ＲＦアンテナは、
ＲＦアンテナスイッチがオフになったときに短絡されることを特徴とする請求項１記載の携帯端末機のＳＩＭカード制御装置。
【請求項１２】
交通カード機能を有するＳＩＭカードを備えた端末とネットワークとの間の通信において、端末が初期化過程を通してネットワークからデータを受信する段階と、
前記ネットワークのデータと端末内のＳＩＭカードの情報とを比較する段階と、
前記比較結果によってカードの使用を制御する段階と、から構成されたことを特徴とする携帯端末機のＳＩＭカード制御方法。
【請求項１３】
前記ネットワークのデータ及びＳＩＭカードのデータは、
加入者情報及び交通カード情報であることを特徴とする請求項１２記載の携帯端末機のＳＩＭカード制御方法。
【請求項１４】
前記加入者情報は、
加入者の名前、加入者の識別番号及び加入日付であることを特徴とする請求項１３記載の携帯端末機のＳＩＭカード制御方法。
【請求項１５】
前記交通カード情報は、
交通カードの固有番号であることを特徴とする請求項１３記載の携帯端末機のＳＩＭカード制御方法。
【請求項１６】
前記交通カード情報は、
カードを紛失した使用者が予め紛失申告をした場合、ネットワークから端末に伝送されないことを特徴とする請求項１３記載の携帯端末機のＳＩＭカード制御方法。
【請求項１７】
前記比較段階は、
ネットワークから受信されたデータの加入者情報と端末内のＳＩＭカードの加入者情報とが一致するかどうかを確認する段階と、
ネットワークから受信されたデータの交通カード情報と端末内のＳＩＭカードの交通カード情報とが一致するかどうかを確認する段階と、を含んで構成されることを特徴とする請求項１２記載の携帯端末機のＳＩＭカード制御方法。
【請求項１８】
前記加入者情報は、
加入者の名前、加入者の識別番号及び加入日付順にその一致可否が確認されることを特徴とする請求項１７記載の携帯端末機のＳＩＭカード制御方法。
【請求項１９】
前記制御段階は、
前記ネットワークのデータと端末内の情報との一致可否によって、前記ＳＩＭカードの代金決済を承認又は承認しない段階であることを特徴とする請求項１２記載の携帯端末機のＳＩＭカード制御方法。
【請求項２０】
前記制御段階は、
前記ネットワークのデータと端末内のＳＩＭカードの情報とが一致すると、使用者からパスワードの入力を受ける段階と、
パスワードが正しいと、前記ＳＩＭカードの代金決済を承認する段階と、を更に含むことを特徴とする請求項１９記載の携帯端末機のＳＩＭカード制御方法。
【請求項２１】
前記代金決済は、
前記使用者がパスワードの入力を所定回数まで間違えると、承認されないことを特徴とする請求項２０記載の携帯端末機のＳＩＭカード制御方法。
【請求項２２】
前記制御段階は、
前記ネットワークのデータと端末内のＳＩＭカードの情報とが一致しないと、代金決済を止める段階を更に含むことを特徴とする請求項１９記載の携帯端末機のＳＩＭカード制御方法。
【発明の詳細な説明】
【技術分野】
【０００１】
本発明は、携帯端末機に係るもので、詳しくは、加入者認証モジュール（Ｓｕｂｓｃｒｉｂｅｒ  Ｉｄｅｎｔｉｆｉｃａｔｉｏｎ  Ｍｏｄｕｌｅ：以下、ＳＩＭと略称する）カードが内蔵された携帯端末機に盗用防止技術を適用した携帯端末機のＳＩＭカード制御装置及びその方法に関するものである。
【背景技術】
【０００２】
一般に、ＳＩＭカードは、端末機の後側のスロットに挿入する小さなカードであって、マイクロプロセッサ及びメモリを内蔵しており、カードの内部で情報の保存及び演算処理が可能なスマートカードである。前記ＳＩＭカードは、カード内に加入者情報を有しており、どの端末機もカードを挿入するだけで自分の端末機のように使用することができる。また、ＳＩＭカードは、保安性に優れて電子商取り引きなどにおいても効用性が高く、最近、後払い型交通カード機能を備えたＳＩＭカードも使用されている。
【０００３】
図３は従来のＳＩＭカードが内蔵された携帯端末機の構造を示した図である。
図３に示したように、従来のＳＩＭカードが内蔵された携帯端末機は、代金決済機能を備えたＳＩＭカード１０と、ＳＩＭカード１０の４番及び８番の端子にループ構造で連結されたＲＦアンテナ２０と、を含んで構成される。前記構成によると、ＳＩＭカード１０がＲＦアンテナ２０と直ちに連結され、端末でＳＩＭカードを直接制御できないため、他人のカードの盗用を制止する方法がなかった。
【発明の開示】
【発明が解決しようとする課題】
【０００４】
以上説明したように、従来は、ＳＩＭカードが端末システムと別途に運営されて端末でカードを直接制御できないため、カードの紛失及び盗難に対する対策が設けられていないという問題点があった。
【０００５】
よって、端末やＳＩＭカードを紛失した使用者に、金銭的損失及びそれによる不安感を与えるという問題点があった。
【０００６】
本発明は、このような従来の課題に鑑みてなされたもので、代金決済機能を有するＳＩＭカードを内蔵した携帯端末機に盗用防止技術を適用した携帯端末機のＳＩＭカード制御装置及びその方法を提供することを目的とする。
【課題を解決するための手段】
【０００７】
このような目的を達成するため、本発明に係る携帯端末機のＳＩＭカード制御装置は、代金決済機能を有するＳＩＭカードと、前記ＳＩＭカードの４番及び８番の端子にループ構造で連結されたＲＦアンテナと、端末機の初期化過程で前記ＳＩＭカードの情報を読み、それによって制御信号を出力する端末機制御部と、前記端末機制御部の制御信号によって前記ＲＦアンテナを開放又は短絡するＲＦアンテナスイッチと、を含んで構成されることを特徴とする。
【０００８】
また、本発明に係る携帯端末機のＳＩＭカード制御方法は、端末が初期化過程を通してネットワークからデータを受信する過程と、前記受信されたデータと端末内のデータとを比較する過程と、前記比較結果によってカードの使用を制御する過程と、を含んで構成されることを特徴とする。
【０００９】
また、前記代金決済機能は、後払い型交通カード機能であり、前記ネットワークのデータと端末内のデータとが一致しないと、代金決済は承認されず、一致する場合も、パスワードを所定回数以上間違えると代金決済が承認されないことを特徴とする。
【００１０】
上記目的を達成するために、本発明は、例えば、以下を提供する。
【００１１】
（項目１）
代金決済機能を有する加入者認証モジュール（ｓｕｂｓｃｒｉｂｅｒ  ｉｄｅｎｔｉｆｉｃａｔｉｏｎ  ｍｏｄｕｌｅ：以下、ＳＩＭと略称する）カードと、
前記ＳＩＭカードの４番及び８番の端子にループ構造で連結されたＲＦ（ｒａｄｉｏ  ｆｒｅｑｕｅｎｃｙ）アンテナと、
端末機の初期化過程でネットワークから受信されるデータ及び前記ＳＩＭカードの情報を読み、それによって制御信号を出力する端末機制御部と、
前記端末機制御部の制御信号によって前記ＲＦアンテナを開放又は短絡するＲＦアンテナスイッチと、
を含んで構成されたことを特徴とする携帯端末機のＳＩＭカード制御装置。
【００１２】
（項目２）
前記代金決済機能は、
後払い型交通カード機能であることを特徴とする項目１記載の携帯端末機のＳＩＭカード制御装置。
【００１３】
（項目３）
前記ネットワークは、
基地局と交通手段運営機関及び金融機関側のシステムとを連係したことを特徴とする項目１記載の携帯端末機のＳＩＭカード制御装置。
【００１４】
（項目４）
前記制御信号は、
前記ネットワークから受信されるデータと前記ＳＩＭカードの情報とを比較した結果によって、ＲＦアンテナスイッチをオン／オフにすることを特徴とする項目１記載の携帯端末機のＳＩＭカード制御装置。
【００１５】
（項目５）
前記ＲＦアンテナスイッチは、
前記ネットワークのデータと前記ＳＩＭカードの情報とが一致するとき、オンになることを特徴とする項目４記載の携帯端末機のＳＩＭカード制御装置。
【００１６】
（項目６）
前記ＲＦアンテナスイッチは、
前記ネットワークのデータと前記ＳＩＭカードの情報とが一致しないとき、オフになることを特徴とする項目４記載の携帯端末機のＳＩＭカード制御装置。
【００１７】
（項目７）
前記ネットワークのデータ及びＳＩＭカードの情報は、
加入者情報及び交通カード情報であることを特徴とする項目４記載の携帯端末機のＳＩＭカード制御装置。
【００１８】
（項目８）
前記加入者情報は、
加入者の名前、加入者の識別番号及び加入日付であることを特徴とする項目７記載の携帯端末機のＳＩＭカード制御装置。
【００１９】
（項目９）
前記交通カード情報は、
交通カードの固有番号であることを特徴とする項目７記載の携帯端末機のＳＩＭカード制御装置。
【００２０】
（項目１０）
前記ＲＦアンテナは、
ＲＦアンテナスイッチがオンになったときに開放されることを特徴とする項目１記載の携帯端末機のＳＩＭカード制御装置。
【００２１】
（項目１１）
前記ＲＦアンテナは、
ＲＦアンテナスイッチがオフになったときに短絡されることを特徴とする項目１記載の携帯端末機のＳＩＭカード制御装置。
【００２２】
（項目１２）
交通カード機能を有するＳＩＭカードを備えた端末とネットワークとの間の通信において、端末が初期化過程を通してネットワークからデータを受信する段階と、
前記ネットワークのデータと端末内のＳＩＭカードの情報とを比較する段階と、
前記比較結果によってカードの使用を制御する段階と、から構成されたことを特徴とする携帯端末機のＳＩＭカード制御方法。
【００２３】
（項目１３）
前記ネットワークのデータ及びＳＩＭカードのデータは、
加入者情報及び交通カード情報であることを特徴とする項目１２記載の携帯端末機のＳＩＭカード制御方法。
【００２４】
（項目１４）
前記加入者情報は、
加入者の名前、加入者の識別番号及び加入日付であることを特徴とする項目１３記載の携帯端末機のＳＩＭカード制御方法。
【００２５】
（項目１５）
前記交通カード情報は、
交通カードの固有番号であることを特徴とする項目１３記載の携帯端末機のＳＩＭカード制御方法。
【００２６】
（項目１６）
前記交通カード情報は、
カードを紛失した使用者が予め紛失申告をした場合、ネットワークから端末に伝送されないことを特徴とする項目１３記載の携帯端末機のＳＩＭカード制御方法。
【００２７】
（項目１７）
前記比較段階は、
ネットワークから受信されたデータの加入者情報と端末内のＳＩＭカードの加入者情報とが一致するかどうかを確認する段階と、
ネットワークから受信されたデータの交通カード情報と端末内のＳＩＭカードの交通カード情報とが一致するかどうかを確認する段階と、を含んで構成されることを特徴とする項目１２記載の携帯端末機のＳＩＭカード制御方法。
【００２８】
（項目１８）
前記加入者情報は、
加入者の名前、加入者の識別番号及び加入日付順にその一致可否が確認されることを特徴とする項目１７記載の携帯端末機のＳＩＭカード制御方法。
【００２９】
（項目１９）
前記制御段階は、
前記ネットワークのデータと端末内の情報との一致可否によって、前記ＳＩＭカードの代金決済を承認又は承認しない段階であることを特徴とする項目１２記載の携帯端末機のＳＩＭカード制御方法。
【００３０】
（項目２０）
前記制御段階は、
前記ネットワークのデータと端末内のＳＩＭカードの情報とが一致すると、使用者からパスワードの入力を受ける段階と、
パスワードが正しいと、前記ＳＩＭカードの代金決済を承認する段階と、を更に含むことを特徴とする項目１９記載の携帯端末機のＳＩＭカード制御方法。
【００３１】
（項目２１）
前記代金決済は、
前記使用者がパスワードの入力を所定回数まで間違えると、承認されないことを特徴とする項目２０記載の携帯端末機のＳＩＭカード制御方法。
【００３２】
（項目２２）
前記制御段階は、
前記ネットワークのデータと端末内のＳＩＭカードの情報とが一致しないと、代金決済を止める段階を更に含むことを特徴とする項目１９記載の携帯端末機のＳＩＭカード制御方法。
【発明の効果】
【００３３】
本発明に係る携帯端末機のＳＩＭカード制御装置及びその方法は、ネットワークから受信した加入者情報及び交通カード情報と、端末に内蔵されたＳＩＭカードの加入者情報及び交通カード情報とを比較し、それによって制御することで、端末やＳＩＭカードの紛失時に不正使用を防止できるという効果がある。
【００３４】
また、不正使用を防止することで、元の使用者の金銭的損失を防止できるという効果がある。
【発明を実施するための最良の形態】
【００３５】
以下、本発明の実施の形態に対し、図面に基づいて説明する。
【００３６】
図１は、本発明に係る携帯端末機のＳＩＭカード制御装置の構成を示した図である。
【００３７】
図示したように、携帯端末機のＳＩＭカード制御装置は、代金決済機能を有するＳＩＭカード１００と、前記ＳＩＭカード１００の４番及び８番の端子にループ構造で連結されたＲＦアンテナ２００と、端末機の初期化過程で前記ＳＩＭカード１００の情報を読み、それによって制御信号を出力する端末機制御部３００と、前記端末機制御部３００の制御信号によって前記ＲＦアンテナ２００を開放又は短絡するＲＦアンテナスイッチ４００と、を含んで構成されている。
【００３８】
前記ＳＩＭカード１００は、後払い型交通カード機能を有するもので、一般的な大衆交通、例えばバスや地下鉄などの乗車料金を決済することができる。移動通信事業者は、端末の使用者から交通カード発給の要請を受けると、前記使用者端末のＳＩＭカード１００に新しく発給した交通カード情報及び使用者に対する加入者情報を伝送して保存する。
【００３９】
前記端末機制御部３００は、端末機の初期化過程でネットワークから端末に受信される交通カード情報及び加入者情報と、前記ＳＩＭカード１００の交通カード情報及び加入者情報とを比較し、その比較結果によって制御信号を出力する。このとき、前記比較結果、全ての情報が一致すると、前記ＲＦアンテナスイッチ４００をオンにする制御信号を出力し、一つでも一致しない情報があると、ＲＦアンテナスイッチ４００をオフにする制御信号を出力する。
【００４０】
図２は、本発明に係る携帯端末機のＳＩＭカード制御方法の実現過程を示したフローチャートである。
【００４１】
図示したように、まず、使用者が端末機の電源をつけると、端末は、初期化過程を通して基地局と同期を合せる（Ｓ１０）。すると、基地局では、交通手段運営機関及び金融機関側のシステムと連係し、該当の端末の交通カード情報及び加入者情報などを含むデータを該当の端末に伝送する（Ｓ２０）。ここで、前記交通カード情報は、交通カードを発給する時に与えられる交通カードの固有番号で、前記加入者情報は、加入者の名前、加入者の識別番号及び加入日付などである。端末は、前記データを受信して読み（Ｓ３０）、端末のＳＩＭカードから交通カード情報及び加入者情報を読む（Ｓ４０）。その後、端末は、前記読み込んだ各情報を比較する（Ｓ５０〜Ｓ８０）。このとき、比較順序は、加入者の名前、加入者の識別番号、加入日付、交通カードの固有番号の順である。まず、基地局から受けた加入者の名前とＳＩＭカードから読んだ加入者の名前とを比較し（Ｓ５０）、それらが一致すると、加入者の識別番号を比較し（Ｓ６０）、次いで、加入日付を比較し（Ｓ７０）、次いで、交通カードの固有番号を比較する（Ｓ８０）が、このうち、一つでも一致しないと、直ちに端末内でエラー信号を発生して使用者の代金決済を止める（Ｓ１２０）。前記比較結果、全ての情報が一致すると、より確実な保安のために、使用者からパスワードの入力を受ける（Ｓ９０）。前記使用者が入力したパスワードと予め設定及び保存されたパスワードとを比較し（Ｓ１００）、前記比較結果、一致したときにようやく承認信号を発生することで、使用者は、端末に内蔵された交通カード機能を有するＳＩＭカードを使用して正常に料金を支払うことができる（Ｓ１１０）。もし前記比較結果、一致しない場合、即ち使用者がパスワードを誤って入力した場合は、所定回数を定め、例えば三回までパスワードを入力することで、使用者に誤りを訂正させるが、三回目にも間違えると、エラー信号を発生して使用者の代金決済を止める（Ｓ１２０）。
【００４２】
また、交通カードが内蔵された端末やＳＩＭカードを紛失した使用者が紛失事実を移動通信事業者側に申告すると、移動通信事業者側のシステムでは、該当の交通カードの固有番号を紛失リストに登録し、該当の交通カード情報を伝送しない。従って、前記紛失された端末やＳＩＭカードを使用する場合、ネットワークから交通カード情報を受信することもできないので、代金決済が不可能である。
【００４３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４４】
【図１】本発明に係る携帯端末機のＳＩＭカード制御装置の構成を示した図である。
【図２】本発明に係る携帯端末機のＳＩＭカード制御方法の実現過程を示したフローチャートである。
【図３】従来のＳＩＭカードが内蔵された携帯端末機の構造を示した図である。
【符号の説明】
【００４５】
１０、１００：ＳＩＭカード
２０、２００：ＲＦアンテナ
３００：端末機制御部
４００：ＲＦアンテナスイッチ
【図１】
2005135421.tif 000003
【図２】
2005135421.tif 000004
【図３】
2005135421.tif 000005